(57)【要約】【課題】操作性を低下させることなく、アプリケーションの実行にあたって正規利用者を判別する際のセキュリティを向上することができる携帯端末装置を提供することである。【解決手段】ユーザの操作によってアプリケーションを起動する携帯端末装置において、セキュリティ情報を記録する記録部と、ユーザの操作と前記記録部に記録してある前記セキュリティ情報とが一致したときにのみ前記アプリケーションを起動するセキュリティ制御部とを備えた。【選択図】図１
2008217223.tif 000002
【特許請求の範囲】
【請求項１】
ユーザの操作によってアプリケーションを起動する携帯端末装置において、
セキュリティ情報を記録する記録部と、ユーザの操作と前記記録部に記録してある前記セキュリティ情報とが一致したときにのみ前記アプリケーションを起動するセキュリティ制御部とを備えたことを特徴とする携帯端末装置。
【請求項２】
ユーザによる操作の履歴を前記セキュリティ情報として前記記録部に記録するセキュリティ情報記録手段を有することを特徴とする請求項１に記載の携帯端末装置。
【請求項３】
ユーザが操作する操作部を有し、前記セキュリティ情報が、前記操作部を操作した履歴であることを特徴とする請求項１に記載の携帯端末装置。
【請求項４】
前記セキュリティ制御部が、ユーザの操作と前記記録部に記録してある前記セキュリティ情報とが一致しなかったときに警告を発することを特徴とする請求項１に記載の携帯端末装置。
【請求項５】
前記携帯端末装置が携帯電話機であることを特徴とする請求項１に記載の携帯端末装置。
【請求項６】
ユーザの操作によってアプリケーションを起動する携帯端末装置のアプリケーション起動方法において、
あらかじめ記憶したセキュリティ情報と、ユーザの操作とが一致したときにのみ前記アプリケーションを起動することを特徴とする携帯端末装置のアプリケーション起動方法。
【発明の詳細な説明】
【技術分野】
【０００１】
本発明は、携帯端末装置に関し、詳しくは、携帯端末装置で動作するアプリケーションの実行の制限についてのセキュリティを向上した携帯端末装置に関する。
【背景技術】
【０００２】
従来、携帯電話機等の携帯端末装置が普及し、様々な機能、アプリケーションを提供している。
【０００３】
近年、携帯端末装置内には多くの個人データが含まれており、携帯端末装置の紛失／盗難は個人情報の流出につながることとなる。これを回避するために一般的にはｄｉｇｉｔパスワードが採用されている。
【０００４】
たとえば携帯端末装置で実行されるアプリケーションの起動にあたってｄｉｇｉｔパスワードの入力を要求し、正規利用者のみに動作を提供するようにしている。一例として、携帯電話機内に記憶した電話帳を他人に見られないようにｄｉｇｉｔパスワードを設定することが挙げられる。
【０００５】
ところで、携帯端末装置の従来技術としては、たとえば特許文献１に記載のように、ある機能を実行する際のユーザによるキー操作手順を記憶しておき、ユーザがその操作手順を再度せずとも、記憶してある操作手順を読み出すことによって、その機能の再実行を可能としたものが知られている。
【０００６】
【特許文献１】特開２０００−１３４３０２号公報
【発明の開示】
【発明が解決しようとする課題】
【０００７】
しかしながら、上述のようにｄｉｇｉｔパスワードの入力を要求して正規利用者を判別するような場合には、不正利用者がｄｉｇｉｔパスワードを探し当てようといくつか試しているうちに正しいｄｉｇｉｔパスワードを見つけ出されてしまうおそれがあるという問題があった。
【０００８】
また、これに対抗するようにｄｉｇｉｔパスワードの桁数を多くすると、正規利用者が操作する場合の操作性が悪くなるという問題があった。
【０００９】
また、生年月日等の意味のあるものをｄｉｇｉｔパスワードにしていると、不正利用者に類推されてしまうおそれがあり、十分なセキュリティが確保されているとは、いいがたい状況であった。
【００１０】
一方、特許文献１に記載の発明では、アプリケーションの実行にあたって正規利用者を判別することについての開示は一切なく、本発明が解決する課題を抱えたままのものに過ぎない。
【００１１】
本発明は上記の点にかんがみてなされたもので、操作性を低下させることなく、アプリケーションの実行にあたって正規利用者を判別する際のセキュリティを向上することができる携帯端末装置を提供することを目的とする。
【課題を解決するための手段】
【００１２】
本発明は、ユーザの操作によってアプリケーションを起動する携帯端末装置において、セキュリティ情報を記録する記録部と、ユーザの操作と前記記録部に記録してある前記セキュリティ情報とが一致したときにのみ前記アプリケーションを起動するセキュリティ制御部とを備えたことを特徴とする。
【００１３】
また本発明は、ユーザによる操作の履歴を前記セキュリティ情報として前記記録部に記録するセキュリティ情報記録手段を有することを特徴とする。
【００１４】
また本発明は、ユーザが操作する操作部を有し、前記セキュリティ情報が、前記操作部を操作した履歴であることを特徴とする。
【００１５】
また本発明は、前記セキュリティ制御部が、ユーザの操作と前記記録部に記録してある前記セキュリティ情報とが一致しなかったときに警告を発することを特徴とする。
【発明の効果】
【００１６】
本発明においては、以下に記載するような効果を奏する。
【００１７】
すなわち、本発明によれば、容易に類推可能なｄｉｇｉｔパスワードを用いることがないので、セキュリティを向上することができる。
【発明を実施するための最良の形態】
【００１８】
以下、本発明の実施の形態について図面を参照して詳細に説明する。
【００１９】
図１は、本発明による携帯端末装置の一実施の形態の構成を示すブロック図である。
【００２０】
図１を参照すると、携帯端末装置１は、複数のアプリケーション２と、ユーザが携帯端末装置１を操作する際のユーザインタフェースでありアプリケーション２を起動するためのＵＩ３と、ユーザが操作しその操作結果の信号をＵＩ３へと送る操作部４と、ユーザによる操作部４の操作の履歴をＵＩ３を介して得て記録する記録部５と、本発明に係るセキュリティ制御を行うセキュリティ制御部６とを備えて構成される。
【００２１】
続いて本実施の形態の携帯端末装置の動作について図面を参照しながら詳細に説明する。
【００２２】
図２は、図１に示した携帯端末装置１の動作のうち「セキュリティ情報登録時処理」のフローチャートを示す図である。
【００２３】
本実施の形態の携帯端末装置１では、ユーザは、アプリケーション２のうちアクセス制限を設定したいものに対してあらかじめセキュリティ情報を登録する。
【００２４】
まず、ユーザは操作部４によってセキュリティ情報の登録を開始する旨の操作を行う。この操作は、セキュリティ情報登録開始のための専用キーを入力するようなものであってもよいし、既存のキーの組み合わせによってセキュリティ情報登録開始としてもよい。
【００２５】
このセキュリティ情報の登録を開始する旨の操作は、ＵＩ３を介してセキュリティ制御部６で検出される（Ａ−１）。
【００２６】
このステップ（Ａ−１）の検出がされた状態で、ユーザは操作部４によって携帯端末装置１のＵＩ３を操作し、ユーザの任意の操作順で、対象のアプリケーション２を起動する。ユーザの任意の操作順は、ＵＩ３を介してセキュリティ制御部６で受け付けられ（Ａ−２）、この操作順すなわち操作履歴は、セキュリティ情報として記録部５に記録される（Ａ−３）。
【００２７】
ユーザの任意の操作順について説明する。
【００２８】
一例として、ユーザが電話帳というアプリケーション２にセキュリティ情報を設定したいとき、ユーザは、ステップ（Ａ−２）において任意の操作順で電話帳を起動する。たとえば、操作部４に設けられた「電話帳キー」をすぐに押して電話帳を起動するのではなく、「メニューキー」、「１キー」、「クリアキー」、「電話帳キー」という順番で４つのキーを押して電話帳を起動する。すると、記録部５には、この操作履歴がセキュリティ情報として登録される。
【００２９】
次に、セキュリティ情報を設定後に、アプリケーション２を実行する際の動作について説明する。
【００３０】
図３は、図１に示した携帯端末装置１の動作のうち「アプリケーション起動時処理」のフローチャートを示す図である。
【００３１】
ユーザは、アプリケーション２を起動するために、操作部５によってＵＩ３を操作する。この操作すなわちキー入力はセキュリティ制御部６で受け付けられる（Ｂ−１）。
【００３２】
セキュリティ制御部６では、ステップ（Ｂ−１）で受け付けた操作で起動しようとしているアプリケーション２に対して登録されている登録データすなわちセキュリティ情報を記録部５から読み出す（Ｂ−２）。
【００３３】
その後、ステップ（Ｂ−３）では、ステップ（Ｂ−１）で受け付けた操作履歴と、ステップ（Ｂ−２）で読み出した登録データすなわちセキュリティ情報とを比較し、一致したならば、そのアプリケーション２の起動、実行を許可する。
【００３４】
一方、ステップ（Ｂ−３）において、ステップ（Ｂ−１）で受け付けた操作履歴と、ステップ（Ｂ−２）で読み出した登録データすなわちセキュリティ情報とが一致しない場合には、そのアプリケーション２の起動をしない。この場合には警告を発するようにしてもよいし、誤りが所定回数以上連続した場合には携帯端末装置１内のデータを自身で消去するように動作してもよい。
【００３５】
また、本発明は上述のようなセキュリティ情報によってアプリケーションの起動を許可／禁止するものに限らず、セキュリティ情報による許可／禁止に加えてＤｉｇｉｔパスワードを併用するようにしてもよい。このようにすることによって、より強固なセキュリティを実現することができる。
【図面の簡単な説明】
【００３６】
【図１】本発明による携帯端末装置の一実施の形態の構成を示すブロック図である。
【図２】図１に示した携帯端末装置１の動作のうち「セキュリティ情報登録時処理」のフローチャートを示す図である。
【図３】図１に示した携帯端末装置１の動作のうち「アプリケーション起動時処理」のフローチャートを示す図である。
【符号の説明】
【００３７】
（１）  携帯端末装置
（２）  アプリケーション
（３）  ＵＩ（ユーザインタフェース）
（４）  操作部
（５）  記録部
（６）  セキュリティ制御部
【図１】
2008217223.tif 000003
【図２】
2008217223.tif 000004
【図３】
2008217223.tif 000005